(57)【特許請求の範囲】
【請求項１】
主ケース部と、この主ケース部に連設されたコーナーケース部とからコーナー部において少なくとも二辺が開口する貯蔵室を構成して成るオープンショーケースにおいて、
前記主ケース部側の貯蔵室内を冷却するための主冷却器と、前記コーナーケース部側の貯蔵室内を冷却するための補助冷却器と、各冷却器への冷媒供給をそれぞれ制御する弁装置と、前記主ケース部側の貯蔵室内若しくは当該貯蔵室に吐出される冷気の温度に基づいて前記弁装置を開閉制御する制御装置とを備え、この制御装置は前記弁装置によって各冷却器への冷媒供給を停止する際、主冷却器に遅延して補助冷却器への冷媒供給を停止することを特徴とするオープンショーケース。
【発明の詳細な説明】
【発明の属する技術分野】
本発明は、コーナー部において少なくとも二辺が開口する貯蔵室を構成して成るオープンショーケースに関するものである。
【従来の技術】
従来よりスーパーマーケットなどの店舗内には例えば特公平７−５４２３１号公報（Ｆ２５Ｄ１７／０８）に示される如く隣接する四面全周が開口するアイランドタイプのオープンショーケースや、二方向或いは三方向が開口するコーナータイプのオープンショーケースが設置されている。以下、図４を用いて前記コーナータイプのオープンショーケースの内部構造について説明する。
図４のオープンショーケース１０１は図面下側と右側の二方向に開口部を備えたコーナータイプのオープンショーケースであり、スーパーマーケットなどの店舗内に設置され、背面は店舗の壁面に対向されると共に、図４の左側は図示しない他のオープンショーケースに連結される。
このオープンショーケース１０１は、図４の下側に開口する貯蔵室を構成する主ケース１０２と、その右側に連設され、図４の下側及び右側に開口する貯蔵室を構成するコーナーケース１０３とから成り、前記主ケース１０２の背部のダクト１０４内には主冷却器１０６が、また、コーナーケース１０３のダクト１０７内には相互に直列に配管接続され、且つ、直角を成して配置された補助冷却器１０８及び１０９が配設されている。
これら補助冷却器１０８、１０９の直列回路は、主冷却器１０６に並列に接続されており、各冷却器１０６、１０８及び１０９への冷媒供給は、分岐点Ｐよりも上流側に接続された電磁弁１１１によって開閉制御される。尚、１１２、１１３は主冷却器１０６と補助冷却器１０８及び１０９への冷媒をそれぞれ減圧する膨張弁である。
また、主冷却器１０６の下前方の底部のダクト１０４内には吸込型の送風機１１４が設けられ、補助冷却器１０８、１０９の後方にも吸込型の送風機１１６が設けられている。そして、主冷却器１０６と熱交換した冷気は送風機１１４によって背部のダクト１０４内を上昇せられ、主ケース１０２の開口上縁より吐出される。そして、主ケース１０２側の貯蔵室内を循環した冷気は主ケース１０２の開口下縁よりダクト１０４内に帰還する。
一方、補助冷却器１０８、１０９と熱交換した冷気は送風機１１６によって背部のダクト（１０７Ａで示す）内を上昇せられ、コーナーケース１０３の各開口上縁より吐出される。そして、コーナーケース１０３側の貯蔵室内を循環した冷気はコーナーケース１０３の開口下縁よりダクト１０７内に帰還する。
他方、前記電磁弁１１１は前記主ケース１０２のダクト１０４から吐出される冷気の温度を検知するサーモスタットにより制御され、所定の上限温度にて開放され、各冷却器１０６、１０８、１０９に冷媒を供給すると共に、下限温度にて閉じられるものであった。
【発明が解決しようとする課題】
ここで、上述の如きコーナーケース１０３は、開口面が多くなるためにどうしても主ケース１０２に比して温度が低下するのに時間がかかる。しかしながら、電磁弁１１１の制御は主ケース１０２の吐出冷気温度によって制御されていたため、コーナーケース１０３側の貯蔵室内の温度が下がらないうちに補助冷却器１０８、１０９への冷媒供給が停止してしまい、コーナーケース１０３側の貯蔵室の冷えが甘くなってしまう問題があった。
そこで、サーモスタットによりコーナーケース１０３側の吐出冷気温度に基づいて電磁弁１１１の開閉制御を行わせると、今度は主ケース１０２側の貯蔵室内温度が下がり過ぎてしまう問題が発生していた。
本発明は、係る従来の技術的課題を解決するために成されたものであり、主ケース側の貯蔵室とコーナーケース側の貯蔵室を的確且つ略均一に冷却することができるオープンショーケースを提供するものである。
【課題を解決するための手段】
本発明のオープンショーケースは、主ケース部と、この主ケース部に連設されたコーナーケース部とからコーナー部において少なくとも二辺が開口する貯蔵室を構成して成るものであって、主ケース部側の貯蔵室内を冷却するための主冷却器と、コーナーケース部側の貯蔵室内を冷却するための補助冷却器と、各冷却器への冷媒供給をそれぞれ制御する弁装置と、主ケース部側の貯蔵室内若しくは当該貯蔵室に吐出される冷気の温度に基づいて弁装置を開閉制御する制御装置とを備えており、この制御装置は弁装置によって各冷却器への冷媒供給を停止する際、主冷却器に遅延して補助冷却器への冷媒供給を停止するものである。
本発明によれば、主ケース部と、この主ケース部に連設されたコーナーケース部とからコーナー部において少なくとも二辺が開口する貯蔵室を構成して成るオープンショーケースにおいて、主ケース部側の貯蔵室内を冷却するための主冷却器と、コーナーケース部側の貯蔵室内を冷却するための補助冷却器と、各冷却器への冷媒供給をそれぞれ制御する弁装置と、主ケース部側の貯蔵室内若しくは当該貯蔵室に吐出される冷気の温度に基づいて弁装置を開閉制御する制御装置とを設け、この制御装置の制御により弁装置にて各冷却器への冷媒供給を停止する際、主冷却器に遅延して補助冷却器への冷媒供給を停止するようにしたので、主ケース部側にて弁装値の開閉を制御しつつ、冷えが甘くなるコーナーケース部の補助冷却器への冷媒供給の停止を遅くらせ、より長く冷却作用を発揮させることができるようになる。
これにより、主ケース部側の貯蔵室内を的確に冷却しつつ、温度が下がり難いコーナーケース部側の貯蔵室内は、より長く冷却することができるようになり、オープンショーケースの貯蔵室全体を的確且つ略均一に冷却することができるようになるものである。
【発明の実施の形態】
以下、図面に基づき本発明の実施形態を詳述する。図１は本発明を適用するオープンショーケース１の斜視図、図２はオープンショーケース１下部の平断面図、図３はオープンショーケース１の制御装置の電気回路図である。
実施例のオープンショーケース１は、前面と図１の向かって右側の二方向に開口部を備えたコーナータイプのオープンショーケースであり、スーパーマーケットなどの店舗内に設置され、背面は店舗の壁面に対向されると共に、向かって左側（図１の奥側）は図示しない他のオープンショーケースに連結されている。
このオープンショーケース１は、図２の下側に開口する貯蔵室２Ａ（主ケース側）を構成する主ケース３と、その右側に連設され、図２の下側及び右側に開口する貯蔵室２Ｂ（コーナーケース側）を構成するコーナーケース４とから成る。主ケース３内には仕切板６によってダクト７とその前側の貯蔵室２Ａとが形成され、コーナーケース４内にも仕切板８によってダクト９とその前側の貯蔵室２Ｂとが形成されており、これによって、貯蔵室全体（以下、２で示す）は二方向に開口部を有している。主ケース３の開口上縁及び下縁には吐出口１１と吸込口１２が形成されており、ダクト７に連通している。また、コーナーケース４の各開口上縁及び下縁には吐出口１３と吸込口１４が形成されており、ダクト９に連通している。尚、１６・・・は貯蔵室２内に架設された商品陳列棚である。
一方、主ケース３の背部のダクト７内には主冷却器２１が、また、コーナーケース４の底部のダクト９内には相互に直列に配管接続され、且つ、直角を成して配置された補助冷却器２２及び２３が配設されている。
これら補助冷却器２２、２３の直列回路は、主冷却器２１に並列に接続されているが、各冷却器２１、２２及び２３への冷媒供給は、分岐点（図示せず）よりも下流側に接続された電磁弁２４、２６によって独立に開閉制御される。即ち、電磁弁２４は主冷却器２１への冷媒供給を開閉制御し、電磁弁２６は補助冷却器２２及び２３への冷媒供給を開閉制御する。尚、２７、２８は主冷却器２１と補助冷却器２２及び２３への冷媒をそれぞれ減圧する膨張弁である。
また、主冷却器２１の下前方の底部のダクト７内には吸込型の送風機３１が設けられ、補助冷却器２２、２３の後方にも吸込型の送風機３２が設けられている。そして、主冷却器２１と熱交換した冷気は送風機３１によって背部のダクト７内を上昇せられ、主ケース３の開口上縁の吐出口１１より吐出される。そして、主ケース３側の貯蔵室２Ａ内を循環した冷気は主ケース３の開口下縁の吸込口１２よりダクト７内に帰還する。
一方、補助冷却器２２、２３と熱交換した冷気は送風機３２によって背部のダクト（９Ａで示す）内を上昇せられ、コーナーケース４の各開口上縁の吐出口１３より吐出される。そして、コーナーケース４側の貯蔵室２Ｂ内を循環した冷気はコーナーケース４の開口下縁の吸込口１４よりダクト９内に帰還する。また、これらによって貯蔵室２の開口に冷気エアーカーテンを形成するものである。
次ぎに、図３の制御装置において前記主冷却器２１の電磁弁２４はサーモスタット４１の高温接点Ｈとコモン接点Ｃを介して電源に接続される。また、補助冷却器２２、２３の電磁弁２６は遅延タイマー４２の接点４２Ａを介して電源に接続される。そして、遅延タイマー４２は前記サーモスタット４１の低温接点Ｌとコモン接点Ｃを介して電源に接続される。
前記サーモスタット４１は主ケース３の吐出口１１の内側に設けられ、ダクト７から貯蔵室２Ａに吐出される冷気の温度を検出して動作する。そして、所定の上限温度に達すると高温接点Ｈに閉じ、下限温度に低下すると低温接点Ｌに切り替わるものである。
また、前記遅延タイマー４２は非通電状態で接点４２Ａを閉じており、通電されてから所定期間後に接点４２Ａを開く動作を行う。更に、前記各電磁弁２４、２６は通電されて開き、非通電状態では流路を閉じるものである。
以上の構成で動作を説明する。主ケース３の貯蔵室２Ａへの吐出冷気温度が上昇して上限温度に達するとサーモスタット４１は高温接点Ｈに閉じるので、電磁弁２４は開く。また、遅延タイマー４２は非通電となるので接点４２Ａを閉じ、電磁弁２６も開く。これによって、冷媒は主冷却器２１と補助冷却器２２、２３に供給され、冷却作用を発揮する。尚、送風機３１、３２は常時運転されているので、各冷却器２１、２２、２３と熱交換した冷気は前述の如く貯蔵室２Ａ、２Ｂに吐出される。
係る冷却運転によって主ケース３側の吐出冷気温度が低下して行き、下限温度に達すると、サーモスタット４１は低温接点Ｌに閉じるので電磁弁２４は閉じる。これにより、主冷却器２１への冷媒供給は停止する。同時に遅延タイマー４２への通電が開始されるが、この時点では接点４２Ａは閉じたままであるので、電磁弁２６は開いたままである。従って、補助冷却器２２、２３には冷媒の供給が継続される。
そして、主冷却器２１への冷媒供給停止から所定期間が経過すると、遅延タイマー４２が接点４２Ａを開くので、電磁弁２６も非通電となって閉じる。
このように本発明によれば、主ケース３側の吐出冷気温度にて主冷却器２１への冷媒供給を制御しつつ、冷えが甘くなるコーナーケース４の補助冷却器２２、２３への冷媒供給の停止を遅くらせ、より長く冷却作用を発揮させることができるようになる。
これにより、主ケース３側の貯蔵室２Ａ内を的確に冷却しつつ、温度が下がり難いコーナーケース４側の貯蔵室２Ｂ内は、より長く冷却することができるようになり、オープンショーケース１の貯蔵室２全体を的確且つ略均一に冷却することができるようになる。
尚、実施例ではサーモスタット４１が吐出冷気温度を検出して動作するようにしたが、それに限らず、主ケース３側の貯蔵室２Ａ内の温度を検出するようにしても良い。また、実施例ではそれぞれ別体の主ケース３とコーナーケース４とを連接してオープンショーケース１を構成したが、それに限らず、各ケース３、４とを一体として主ケース部とコーナーケース部とを構成したものにも本発明は有効である。
【発明の効果】
以上詳述した如く本発明によれば、主ケース部と、この主ケース部に連設されたコーナーケース部とからコーナー部において少なくとも二辺が開口する貯蔵室を構成して成るオープンショーケースにおいて、主ケース部側の貯蔵室内を冷却するための主冷却器と、コーナーケース部側の貯蔵室内を冷却するための補助冷却器と、各冷却器への冷媒供給をそれぞれ制御する弁装置と、主ケース部側の貯蔵室内若しくは当該貯蔵室に吐出される冷気の温度に基づいて弁装置を開閉制御する制御装置とを設け、この制御装置の制御により弁装置にて各冷却器への冷媒供給を停止する際、主冷却器に遅延して補助冷却器への冷媒供給を停止するようにしたので、主ケース部側にて弁装値の開閉を制御しつつ、冷えが甘くなるコーナーケース部の補助冷却器への冷媒供給の停止を遅くらせ、より長く冷却作用を発揮させることができるようになる。
これにより、主ケース部側の貯蔵室内を的確に冷却しつつ、温度が下がり難いコーナーケース部側の貯蔵室内は、より長く冷却することができるようになり、オープンショーケースの貯蔵室全体を的確且つ略均一に冷却することができるようになるものである。
【図面の簡単な説明】
【図１】本発明を適用するオープンショーケースの斜視図である。
【図２】図１のオープンショーケース下部の平断面図である。
【図３】図１のオープンショーケースの制御装置の電気回路図である。
【図４】従来のオープンショーケース下部の平断面図である。
【符号の説明】
１  オープンショーケース
２、２Ａ、２Ｂ  貯蔵室
３  主ケース（主ケース部）
４  コーナーケース（コーナーケース部）
２１  主冷却器
２２、２３  補助冷却器
２４  ２６  電磁弁（弁装置）
４１  サーモスタット
４２  遅延タイマー
【図１】
0003717627.tif 000002
【図２】
0003717627.tif 000003
【図３】
0003717627.tif 000004
【図４】
0003717627.tif 000005